【手続補正書】
【提出日】平成15年8月21日(2003.8.21)
【手続補正１】
【補正対象書類名】明細書
【補正対象項目名】特許請求の範囲
【補正方法】変更
【補正の内容】
【特許請求の範囲】
【請求項１】
液体を吐出する複数の吐出口と、該複数の吐出口とそれぞれ連通する複数の液流路と、該液流路の流路方向に沿って前記液流路内に配置された、前記液流路内の液体を前記吐出口から吐出させるために利用される熱エネルギーを発生させる第１および第２の発熱手段と、を有するインクジェットヘッドを構成するための、前記第１および第２の発熱手段が基板上に形成されてなるインクジェットヘッド用基体において、
前記第１および第２の発熱手段は、それぞれ選択的に４ＫＨｚ以上の駆動周波数で駆動されるものであって、前記第１の発熱手段は、前記各液流路に対応して前記液流路の流路方向に対して垂直な方向に並列に配置され、電気的に直列に接続された複数の発熱抵抗体を有するものであり、前記第２の発熱手段は、少なくとも１つの発熱抵抗体を有するものであることを特徴とするインクジェットヘッド用基体。
【請求項２】
前記第１の発熱手段を構成する前記複数の発熱抵抗体それぞれのシート抵抗値および、前記第２の発熱手段を構成する発熱抵抗体のシート抵抗値が略同一である請求項１に記載のインクジェットヘッド用基体。
【請求項３】
前記第１および第２の発熱手段が配置される前記基板上に形成された共通配線層と、
前記第１および第２の発熱手段の下層となるように前記共通配線層の表面に形成された絶縁層と、
前記絶縁層の、前記第１と第２の発熱手段の間に対応する位置に形成された第１のスルーホールを介して、前記第１および第２の発熱手段を前記共通配線層に電気的に接続する第１の共通配線と、
前記絶縁層の表面に形成され、前記第１の発熱手段と電気的に接続された第１の個別配線と、
前記絶縁層の表面に形成され、前記第２の発熱手段と電気的に接続された第２の個別配線と、
前記絶縁層の表面に形成され、前記絶縁層の、前記第２の発熱手段の前記第１の発熱手段側と反対側に形成された第２のスルーホールを介して、前記共通配線層と電気的に接続された第２の共通配線と、をさらに有する請求項１または２に記載のインクジェットヘッド用基体。
【請求項４】
前記第１の発熱手段が有する発熱抵抗体は、前記液流路の流路方向に対して垂直な方向に並列に配置された第１および第２の発熱抵抗体の２つであり、前記第１および第２の発熱抵抗体の吐出口側に配置された接続配線を介して前記第１と第２の発熱抵抗体が電気的に接続されている請求項１〜３のいずれか１項に記載のインクジェットヘッド用基体。
【請求項５】
前記第１および第２の発熱抵抗体の幅がほぼ同一であり、かつ、前記第２の発熱手段が有する発熱抵抗体が１つであり、前記第２の発熱手段の、前記液流路の流路方向における長さが、前記第１および第２の発熱抵抗体の、前記液流路の流路方向における長さの合計とほぼ同一となっている請求項４に記載のインクジェットヘッド用基体。
【請求項６】
前記第１および第２の発熱素子の構成材料として、ＴａＮ、ＴａＡｌ、ＴａＳｉＮまたはＨｆＢ2のうちいずれか１つが用いられている請求項１〜５のいずれか１項に記載のインクジェットヘッド用基体。
【請求項７】
前記第１の発熱抵抗体と前記第２の発熱抵抗体の形状および大きさがほぼ同一である請求項１〜６のいずれか１項に記載のインクジェットヘッド用基体。
【請求項８】
液体を吐出する複数の吐出口と、該複数の吐出口とそれぞれ連通する複数の液流路と、前記液流路の流路方向に沿って前記液流路内に配置された、前記液流路内の液体を前記吐出口から吐出させるために利用される熱エネルギーを発生させる第１および第２の発熱手段と、を有するインクジェットヘッドにおいて、
前記第１および第２の発熱手段は、それぞれ選択的に４ＫＨｚ以上の駆動周波数で駆動されるものであって、
前記第１の発熱手段は、前記各液流路内に前記液流路の流路方向に対して垂直な方向に並列に配置され、電気的に直列に接続された複数の発熱抵抗体を有するものであり、前記第２の発熱手段は、前記各液流路内に配置された少なくとも１つの発熱抵抗体を有するものであることを特徴とするインクジェットヘッド。
【請求項９】
前記第１の発熱手段が、前記第２の発熱手段よりも前記液流路の流路方向下流側に配置されている請求項８に記載のインクジェットヘッド。
【請求項１０】
前記第１の発熱手段の自由発泡幅が、前記液流路の前記第１の発熱手段配置部分における前記液流路幅方向の最大距離以上である請求項８または９に記載のインクジェットヘッド。
【請求項１１】
請求項１〜７のいずれか１項に記載のインクジェットヘッド用基体と、該インクジェットヘッド用基体の前記第１および第２の発熱手段側の面上に前記液流路を設けるように前記インクジェットヘッド用基体の前記第１および第２の発熱手段側の面に接合された天板とを有するインクジェットヘッド。
【請求項１２】
請求項８〜１１のいずれか１項に記載のインクジェットヘッドと、該インクジェットヘッドに供給するための液体を貯留する液体貯留部とを有するインクジェットカートリッジ。
【請求項１３】
請求項１２に記載のインクジェットカートリッジと、該インクジェットカートリッジの前記インクジェットヘッドから吐出された液体を受ける被記録媒体を搬送する被記録媒体給送装置とを有するインクジェット記録装置。
【手続補正２】
【補正対象書類名】明細書
【補正対象項目名】００２５
【補正方法】変更
【補正の内容】
【００２５】
【課題を解決するための手段】
上記目的を達成するため本発明のインクジェットヘッド用基体は、液体を吐出する複数の吐出口と、該複数の吐出口とそれぞれ連通する複数の液流路と、該液流路の流路方向に沿って前記液流路内に配置された、前記液流路内の液体を前記吐出口から吐出させるために利用される熱エネルギーを発生させる第１および第２の発熱手段と、を有するインクジェットヘッドを構成するための、前記第１および第２の発熱手段が基板上に形成されてなるインクジェットヘッド用基体において、前記第１および第２の発熱手段は、それぞれ選択的に４ＫＨｚ以上の駆動周波数で駆動されるものであって、前記第１の発熱手段は、前記各液流路に対応して前記液流路の流路方向に対して垂直な方向に並列に配置され、電気的に直列に接続された複数の発熱抵抗体を有するものであり、前記第２の発熱手段は、少なくとも１つの発熱抵抗体を有するものであることを特徴とする。
【手続補正３】
【補正対象書類名】明細書
【補正対象項目名】００２７
【補正方法】変更
【補正の内容】
【００２７】
具体的には、前記第１および第２の発熱手段が配置される前記基板上に形成された共通配線層と、前記第１および第２の発熱手段の下層となるように前記共通配線層の表面に形成された絶縁層と、前記絶縁層の、前記第１と第２の発熱手段の間に対応する位置に形成された第１のスルーホールを介して、前記第１および第２の発熱手段を前記共通配線層に電気的に接続する第１の共通配線と、前記絶縁層の表面に形成され、前記第１の発熱手段と電気的に接続された第１の個別配線と、前記絶縁層の表面に形成され、前記第２の発熱手段と電気的に接続された第２の個別配線と、前記絶縁層の表面に形成され、前記絶縁層の、前記第２の発熱手段の前記第１の発熱手段側と反対側に形成された第２のスルーホールを介して、前記共通配線層と電気的に接続された第２の共通配線と、をさらに有するインクジェットヘッド用基体が好ましい。
【手続補正４】
【補正対象書類名】明細書
【補正対象項目名】００２８
【補正方法】変更
【補正の内容】
【００２８】
また、前記第１の発熱手段が有する発熱抵抗体は、前記液流路の流路方向に対して垂直な方向に並列に配置された第１および第２の発熱抵抗体の２つであり、前記第１および第２の発熱抵抗体の吐出口側に配置された接続配線を介して前記第１と第２の発熱抵抗体が電気的に接続されていることが好ましい。


【手続補正５】
【補正対象書類名】明細書
【補正対象項目名】００２９
【補正方法】変更
【補正の内容】
【００２９】
さらに、前記第１および第２の発熱抵抗体の幅がほぼ同一であり、かつ、前記第２の発熱手段が有する発熱抵抗体が１つであり、前記第２の発熱手段の、前記液流路の流路方向における長さが、前記第１および第２の発熱抵抗体の、前記液流路の流路方向における長さの合計とほぼ同一となっていることが好ましい。


【手続補正６】
【補正対象書類名】明細書
【補正対象項目名】００３１
【補正方法】変更
【補正の内容】
【００３１】
前記第１の発熱抵抗体と前記第２の発熱抵抗体の形状および大きさがほぼ同一であることが好ましい。


【手続補正７】
【補正対象書類名】明細書
【補正対象項目名】００３５
【補正方法】変更
【補正の内容】
【００３５】
さらに、本発明のインクジェットヘッドは、液体を吐出する複数の吐出口と、該複数の吐出口とそれぞれ連通する複数の液流路と、前記液流路の流路方向に沿って前記液流路内に配置された、前記液流路内の液体を前記吐出口から吐出させるために利用される熱エネルギーを発生させる第１および第２の発熱手段と、を有するインクジェットヘッドにおいて、前記第１および第２の発熱手段は、それぞれ選択的に４ＫＨｚ以上の駆動周波数で駆動されるものであって、前記第１の発熱手段は、前記各液流路内に前記液流路の流路方向に対して垂直な方向に並列に配置され、電気的に直列に接続された複数の発熱抵抗体を有するものであり、前記第２の発熱手段は、前記各液流路内に配置された少なくとも１つの発熱抵抗体を有するものであることを特徴とする。ここで、前記第１の発熱手段が、前記第２の発熱手段よりも前記液流路の流路方向下流側に配置されていることが好ましい。さらには、前記第１の発熱手段の自由発泡幅が、前記液流路の前記第１の発熱手段配置部分における前記液流路幅方向の最大距離以上となっていることが好ましい。